(57)【要約】【解決手段】取っ手５を利用してその対峙壁部１３に設けた凸レンズ状の拡大透視部２０により、カップ本体１の周壁部３の計量目盛を取っ手５内の空室１６を介して拡大して見ることができるので、計量目盛が見易くなる。カップ本体１の周壁部３において傾斜して形成された前壁部７及び後壁部８に計量目盛を付したので、計量目盛が上方から見易くなる。カップ本体１において収容室４の横断面を一定の形態及び面積に設定したので、収容室４で増量される計量物の容積変化率が底壁部２から周壁部３の上端縁部３ａまでの全体にわたり一定になり、増量の度合が判別し易くなる。【効果】計量カップによる計量作業が行い易くなる。【選択図】図３
2010217038.tif 000002
【特許請求の範囲】
【請求項１】
計量目盛を付したカップ本体に、その計量目盛を拡大して見ることができる拡大透視部を設けたことを特徴とする計量カップ。
【請求項２】
前記カップ本体は把持部を有し、前記拡大透視部はその把持部に設けられていることを特徴とする請求項１に記載の計量カップ。
【請求項３】
前記カップ本体は、底壁部と、その底壁部の外周に設けた周壁部と、その底壁部と周壁部とで囲まれる収容室とを有し、前記把持部は周壁部の外側へ突出する取っ手であることを特徴とする請求項２に記載の計量カップ。
【請求項４】
底壁部と、その底壁部の外周に設けた周壁部と、その底壁部と周壁部とで囲まれる収容室とを有するカップ本体において、その周壁部に形成した傾斜部に計量目盛を付し、その計量目盛を拡大して見ることができる拡大透視部を設けたことを特徴とする計量カップ。
【請求項５】
底壁部と、その底壁部の外周に設けた周壁部と、その底壁部と周壁部とで囲まれる収容室とを有するカップ本体において、その周壁部に形成した第一傾斜部と第二傾斜部とのうち少なくとも一方の傾斜部に計量目盛を付し、その傾斜部に付した計量目盛を拡大して見ることができる拡大透視部を設けたことを特徴とする計量カップ。
【請求項６】
底壁部と、その底壁部の外周に設けた周壁部と、その底壁部と周壁部とで囲まれる収容室とを有するカップ本体において、計量目盛を付した周壁部に互いに対向して形成した第一傾斜部と第二傾斜部とのうち、第一傾斜部の外面を上方に向けるとともに、第二傾斜部の内面を第一傾斜部の内面に対向して上方に向け、この第一傾斜部の内面と、この第二傾斜部の内面と、この第一傾斜部と第二傾斜部との間で周壁部に互いに対向して形成した両側壁部の内面とで囲まれる収容室を底壁部の内面に沿って切断した横断面を、底壁部側から周壁部の上端縁部側まで一定の形態及び面積に設定したことを特徴とする計量カップ。
【発明の詳細な説明】
【技術分野】
【０００１】
本発明は、計量目盛を付したカップ本体を有する計量カップに関するものである。
【背景技術】
【０００２】
従来、下記特許文献１において、カップ本体は、底壁部と、その底壁部の外周に設けた周壁部と、その底壁部と周壁部とで囲まれる収容室とを有し、この周壁部は上方へ向けて広がるように傾斜しているとともに計量目盛を有し、その周壁部から外側へ突出する取っ手が設けられている。
【先行技術文献】
【特許文献】
【０００３】
【特許文献１】実公平２−１６２６８号公報
【発明の概要】
【発明が解決しようとする課題】
【０００４】
上記特許文献１では、カップ本体の計量目盛が小さ過ぎると見にくくなる場合もあり、また、周壁部が上方へ向けて広がるように傾斜しているため、増量される計量物の容積変化率が底壁部から周壁部の上端縁部に向うに従い変化して増量の度合を判別しにくくなる場合もあり、計量カップによる計量作業に不便を感じることがあった。
【０００５】
この発明は、計量カップによる計量作業を行い易くすることを目的としている。
【課題を解決するための手段】
【０００６】
後記実施形態の図面（図１〜６）の符号を援用して本発明を説明する。
請求項１の発明にかかる計量カップにおいては、計量目盛１１，１２を付したカップ本体１に、その計量目盛１２を拡大して見ることができる拡大透視部２０を設けている。請求項１の発明では、この拡大透視部２０により計量目盛１２が見易くなる。従って、計量カップによる計量作業を行い易い。
【０００７】
請求項１の発明を前提とする請求項２の発明において、前記カップ本体１は把持部５を有し、前記拡大透視部２０はその把持部５に設けられている。請求項２の発明では、把持部５を利用してこの拡大透視部２０を簡単に設けることができる。
【０００８】
請求項２の発明を前提とする請求項３の発明において、前記カップ本体１は、底壁部２と、その底壁部２の外周に設けた周壁部３と、その底壁部２と周壁部３とで囲まれる収容室４とを有し、前記把持部は周壁部３の外側へ突出する取っ手５である。請求項３の発明では、取っ手５を利用してこの拡大透視部２０を簡単に設けることができる。
【０００９】
請求項４の発明にかかる計量カップのカップ本体１においては、底壁部２と、その底壁部２の外周に設けた周壁部３と、その底壁部２と周壁部３とで囲まれる収容室４とを有し、その周壁部３に形成した傾斜部７，８に計量目盛１１，１２を付し、その計量目盛１２を拡大して見ることができる拡大透視部２０を設けている。請求項４の発明では、傾斜部８に付した計量目盛１２がこの拡大透視部２０により見易くなる。従って、計量カップによる計量作業を行い易い。
【００１０】
請求項５の発明にかかる計量カップのカップ本体１においては、底壁部２と、その底壁部２の外周に設けた周壁部３と、その底壁部２と周壁部３とで囲まれる収容室４とを有し、その周壁部３に形成した第一傾斜部８と第二傾斜部７とのうち少なくとも一方の傾斜部７，８に計量目盛１１，１２を付し、その傾斜部８に付した計量目盛１２を拡大して見ることができる拡大透視部２０を設けている。請求項５の発明では、第一傾斜部８と第二傾斜部７とのうち少なくとも一方の傾斜部８に付した計量目盛１２がこの拡大透視部２０により見易くなる。従って、計量カップによる計量作業を行い易い。
【００１１】
請求項６の発明にかかる計量カップのカップ本体１においては、底壁部２と、その底壁部２の外周に設けた周壁部３と、その底壁部２と周壁部３とで囲まれる収容室４とを有し、計量目盛１２，１１を付した周壁部３に互いに対向して形成した第一傾斜部８と第二傾斜部７とのうち、第一傾斜部８の外面を上方に向けるとともに、第二傾斜部７の内面を第一傾斜部８の内面に対向して上方に向け、この第一傾斜部８の内面と、この第二傾斜部７の内面と、この第一傾斜部８と第二傾斜部７との間で周壁部３に互いに対向して形成した両側壁部９の内面とで囲まれる収容室４を底壁部２の内面に沿って切断した横断面を、底壁部２側から周壁部３の上端縁部３ａ側まで一定の形態及び面積に設定している。請求項６の発明では、第一傾斜部８と第二傾斜部７と両側壁部９とで囲まれる収容室４において増量される計量物の容積変化率を一定にして増量の度合を判別し易くすることができる。従って、計量カップによる計量作業を行い易い。
【００１２】
次に、請求項以外の技術的思想について実施形態の図面の符号を援用して説明する。
請求項３の発明を前提とする第７の発明において、前記計量目盛１２は、前記取っ手５が突出する周壁部３で拡大透視部２０を通じて見ることができる後壁部８に設けられている。第７の発明では、周壁部３の後壁部８から突出する取っ手５の拡大透視部２０を通じてその後壁部８の計量目盛１２を容易に見ることができる。
【００１３】
第７の発明を前提とする第８の発明において、前記取っ手５は、計量目盛１２を付した後壁部８に面する対峙壁部１３と、この後壁部８と対峙壁部１３とを繋ぐ連結壁部１４とを有し、その対峙壁部１３に前記拡大透視部２０が設けられている。例えば、対峙壁部１３自体を拡大透視部２０にすることができる。第８の発明では、計量目盛１２を付した後壁部８に面する取っ手５の対峙壁部１３に拡大透視部２０を簡単に設けることができる。
【００１４】
第８の発明を前提とする第９の発明において、前記取っ手５は、後壁部８と対峙壁部１３とを結ぶ方向に対し交差する方向の両側で側壁部１５を有している。例えば、この側壁部１５に指当体１９を設けている。第９の発明では、この側壁部１５に指を当てがって取っ手５を容易に把持することができる。
【００１５】
第９の発明を前提とする第１０の発明において、前記取っ手５は、後壁部８と対峙壁部１３と連結壁部１４と側壁部１５との間に空室１６を有している。第１０の発明では、取っ手５を軽量化することができるばかりでなく、後壁部８と対峙壁部１３との間に空室１６があるために対峙壁部１３に拡大透視部２０を容易に形成することができる。
【００１６】
請求項４の発明を前提とする第１１の発明において、前記周壁部３で傾斜部８の外面は上方を向いている。第１１の発明では、傾斜部８の計量目盛１２を上方から見易い。従って、計量カップによる計量作業を行い易い。
【００１７】
請求項４の発明または第１１の発明を前提とする第１２の発明において、前記カップ本体１で計量目盛１２を付した傾斜部８を有する周壁部３に把持部５を有し、前記拡大透視部２０はその把持部５に設けられている。第１２の発明では、把持部５を利用してこの拡大透視部２０を簡単に設けることができる。
【００１８】
第１２の発明を前提とする第１３の発明において、前記把持部は周壁部３の外側へ突出する取っ手５である。第１３の発明では、取っ手５を利用してこの拡大透視部２０を簡単に設けることができる。
【００１９】
請求項５の発明を前提とする第１４の発明において、前記周壁部３で第一傾斜部８の外面は上方を向いているとともに第二傾斜部７の内面は上方を向いている。第１４の発明では、傾斜部７，８の計量目盛１１，１２を上方から見易い。従って、計量カップによる計量作業を行い易い。
【００２０】
第１４の発明を前提とする第１５の発明において、前記周壁部３で第一傾斜部８と第二傾斜部７とは、底壁部２から周壁部３の上端縁部３ａまでの全体にわたり互いに同じ向きに傾斜して形成されている。第１５の発明では、底壁部２から周壁部３の上端縁部３ａまでの全体にわたり傾斜部７，８の計量目盛１１，１２を上方から見易い。
【００２１】
請求項５の発明または第１４の発明または第１５の発明を前提とする第１６の発明において、前記カップ本体１で計量目盛１２を付した傾斜部８を有する周壁部３に把持部５を有し、前記拡大透視部２０はその把持部５に設けられている。第１６の発明では、把持部５を利用してこの拡大透視部２０を簡単に設けることができる。
【００２２】
第１６の発明を前提とする第１７の発明において、前記把持部は周壁部３の外側へ突出する取っ手５である。第１７の発明では、取っ手５を利用してこの拡大透視部２０を簡単に設けることができる。
【００２３】
請求項１から請求項５のうちいずれか一つの請求項の発明、または、第７の発明から第１７の発明のうちいずれか一つの発明を前提とする第１８の発明において、前記拡大透視部２０は凸レンズ状に形成されている。第１８の発明では、拡大透視部２０を簡単に設けることができる。
【００２４】
請求項６の発明を前提とする第１９の発明において、前記周壁部３で第一傾斜部８と第二傾斜部７とは、底壁部２から周壁部３の上端縁部３ａまでの全体にわたり互いに同じ向きに傾斜して形成されている。第１９の発明では、増量される計量物の容積変化率を底壁部２から周壁部３の上端縁部３ａまでの全体にわたり一定にして増量の度合を判別し易くすることができる。
【発明の効果】
【００２５】
本発明は、計量カップによる計量作業を行い易くすることができる。
【図面の簡単な説明】
【００２６】
【図１】本実施形態にかかる計量カップを示す斜視図である。
【図２】上記計量カップを示す側面図である。
【図３】上記計量カップを側面側から見た断面図である。
【図４】上記計量カップを示す平面図である。
【図５】上記計量カップを平面側から見た断面図である。
【図６】（ａ）は上記計量カップを示す正面図であり、（ｂ）は上記計量カップを背面側から見た断面図であり、（ｃ）は上記計量カップを示す背面図である。
【発明を実施するための形態】
【００２７】
以下、本発明の一実施形態にかかる計量カップについて図１〜６を参照して説明する。
カップ本体１は、底壁部２と、その底壁部２の外周に設けた周壁部３と、その底壁部２と周壁部３とで囲まれる収容室４とを有している。この周壁部３の外側にはこのカップ本体１に対し分離されて成形された取っ手５（把持部）が連結され、この周壁部３の上端縁部３ａにはこの取っ手５に対する反対側で注ぎ口６が形成されている。この周壁部３は、この注ぎ口６が形成された前壁部７と、この取っ手５が連結された後壁部８と、この前壁部７と後壁部８との間で互いに対向して形成された両側壁部９とに区分することができ、この前壁部７（第二傾斜部）と後壁部８（第一傾斜部）とは互いに対向して底壁部２から周壁部３の上端縁部３ａまでの全体にわたり互いに同じ前向きに同じ傾斜角度θで傾斜して形成されている。この前壁部７の傾斜角度θと後壁部８の傾斜角度θとは、それぞれ、約６５度に設定されているが、好ましくは４５〜８０度に設定してもよい。また、その前壁部７の傾斜角度θ（例えば５０度）と後壁部８の傾斜角度θ（例えば７０度）とを互いに異なるものにしてもよい。前記前壁部７の注ぎ口６は前壁部７の傾斜向きに合わせて前向きに突出しているため、収容室４内の計量物をその注ぎ口６から注ぎ易い。この後壁部８の外面は上方を向くとともに、この後壁部８の内面は下方を向き、また、この前壁部７の内面はこの後壁部８の内面に対向して上方を向くとともに、この前壁部７の外面は下方を向き、この後壁部８の内面とこの前壁部７の内面とこの両側壁部９の内面とで囲まれる収容室４を底壁部２の内面に沿って水平な切断面Ｐにより切断した横断面上においてこれらの内面により囲まれる収容室４の平坦部分１０は、底壁部２から周壁部３の上端縁部３ａ付近の注ぎ口６の下側までの全体にわたり、一定の形態（円形状）及び面積に設定されている。この前壁部７の外面には例えば赤色の計量目盛１１が印刷されているとともに、この後壁部８の外面には例えば赤色の計量目盛１２が印刷され、この周壁部３が透明または半透明のプラスチックにより成形されているためにこれらの計量目盛１１，１２を周壁部３の内外から透視することができる。これらの計量目盛１１，１２は２００ｍｌまで付されているが、カップ本体１には約２５０ｍｌまで収容することができる。
【００２８】
前記取っ手５は、周壁部３の外側へ突出し、計量目盛１２を付した後壁部８に面する対峙壁部１３と、この後壁部８の上端縁部３ａに取着されて後壁部８と対峙壁部１３とを繋ぐ上壁部１４（連結壁部）と、後壁部８と対峙壁部１３とを結ぶ前後方向に対し交差する左右方向の両側で上壁部１４に取着されて後壁部８の外面及び対峙壁部１３の内面に接する側壁部１５と、後壁部８と対峙壁部１３と上壁部１４と側壁部１５との間に形成された空室１６とを有している。この空室１６は、後壁部８の下端部と対峙壁部１３の下端部と側壁部１５の下端部との間で形成された開口１７で下方へ開放されている。この開口１７により空室１６に水分が溜まるのを防止することができる。この上壁部１４は凹部１４ａを有するとともに後方へ向うに従い上方へ傾斜し、この対峙壁部１３は後壁部８に沿って傾斜しているが、この空室１６で対峙壁部１３と後壁部８との間の間隔は上方ほど広がったり下方ほど広がったりしてもよい。この側壁部１５には対峙壁部１３の付近で嵌着孔１８が貫設され、その嵌着孔１８にはゴムなどの軟質材により成形された指当体１９が滑止めとして嵌め込まれて側壁部１５の外面から突出している。この取っ手５が透明または半透明のプラスチックにより成形されているために計量目盛１２を対峙壁部１３と上壁部１４と側壁部１５との内外から透視することができる。
【００２９】
前記取っ手５の対峙壁部１３自体は、上下方向の中央部ほど外側へ膨らむ外面１３ａと平坦な内面１３ｂとによりその中央部ほど厚い凸レンズ状に形成された拡大透視部２０になっている。この拡大透視部２０の外側から前記後壁部８の計量目盛１２を拡大して見ることができる。この拡大透視部２０の形態としては、上下方向の中央部ほど外側へ膨らむ外面１３ａ及び内面１３ｂによりその中央部ほど厚い凸レンズ状に形成してもよい。なお、前記指当体１９の突出面は、この拡大透視部２０とは逆に、上下方向の中央部ほど前側へ膨らむ前端部と平坦な後端部とによりその中央部ほど前後方向幅が広い形状に形成されている。
【００３０】
前記カップ本体１の底壁部２と取っ手５の下端部とは軟質材により成形された滑止め台２１上に着脱可能に嵌め込まれ、取っ手５の開口１７に合わせた開口２２がこの滑止め台２１に形成されている。この開口２２は、取っ手５を把持した際の指掛けや、計量カップを吊り下げる際の引掛孔や、載置面にある突起が係入される位置決め孔として利用することができる。
【００３１】
ちなみに、図２において前側高さＨＦは約７８ｍｍ、後側高さＨＢは約９８ｍｍ、前後方向長さＬは約１５６ｍｍにそれぞれ設定され、図４において左右方向幅Ｗは約８５ｍｍに設定されている。
【００３２】
この計量カップを使用する際には、例えば取っ手５の全体を手の平で包むようにして掴むことができる。その際には、取っ手５で傾斜する対峙壁部１３及び上壁部１４に指を当てたり上壁部１４の凹部１４ａを指当てとして利用したりして、取っ手５を把持し易くなり、収容室４内の計量物を注ぎ口６から注ぎ易い。その上壁部１４で計量物を案内させて収容することもできる。また、取っ手５の両指当体１９を持ち上げても、その両指当体１９間で取っ手５の拡大透視部２０や上壁部１４を通して計量目盛１２を見ることができる。
【００３３】
本実施形態は下記の効果を有する。
＊  取っ手５を利用してその対峙壁部１３自体に設けた凸レンズ状の拡大透視部２０により、カップ本体１に対し離れた位置からでも、カップ本体１の周壁部３の計量目盛１２を水平方向ばかりでなく真上や斜めの上方から取っ手５内の空室１６を介して拡大して見ることができ、計量目盛１２が見易くなって計量カップによる計量作業が行い易くなる。また、対峙壁部１３自体を拡大透視部２０として兼用したので、拡大透視部２０を簡単に設けることができる。
【００３４】
＊  カップ本体１の周壁部３において傾斜して形成された前壁部７及び後壁部８に計量目盛１１，１２を付したので、カップ本体１を目に近付けたり目をカップ本体１に近付けたりすることなく、載置したカップ本体１に計量物を上方から収容する姿勢のままで計量目盛１１，１２が真上や斜めの上方から見易くなり、計量カップによる計量作業が行い易くなる。
【００３５】
＊  カップ本体１において収容室４の横断面を一定の形態及び面積に設定したので、収容室４で増量される計量物の容積変化率が底壁部２から周壁部３の上端縁部３ａまでの全体にわたり一定になり、増量の度合が判別し易くなって計量カップによる計量作業が行い易くなる。
【００３６】
前記実施形態以外にも例えば下記のように構成してもよい。
・  拡大透視部については、前記取っ手５以外に、周壁部３で計量目盛のある部分に形成してもよい。
【００３７】
・  取っ手５をカップ本体１に対し着脱可能に連結してもよい。取っ手５をカップ本体１から取り外せば、それらを収容する際に嵩張らない。
・  取っ手５において左右両側壁部１５を省略してもよい。
【００３８】
・  把持部については、前記取っ手５以外に、周壁部３に対し把持可能な形状に形成したものであればよい。
・  前述したように収容室４を底壁部２の内面に沿って水平な切断面Ｐにより切断した横断面上における収容室４の平坦部分１０については、円形状以外の形態、例えば多角形状（三角形状や四角形状など）や楕円形状やその他の形状（星形状やハート形状や動物形状など）にしてもよい。
【００３９】
・  前記底壁部２から周壁部３の上端縁部３ａまでの全体ではなく、それらの間の中間部でのみ傾斜部を形成してもよい。
・  前記前壁部７の計量目盛１１と後壁部８の計量目盛１２とのうち、前壁部７の計量目盛１１を省略してもよい。
【００４０】
・  前記計量目盛１１の色と計量目盛１２の色とを互いに異なるものにしてもよい。
・  前記周壁部３の外面全周に計量目盛を印刷してもよい。
【符号の説明】
【００４１】
１…カップ本体、２…底壁部、３…周壁部、４…収容室、５…把持部である取っ手、７…前壁部である第二傾斜部、８…後壁部である第一傾斜部、９…側壁部、１１…前壁部の計量目盛、１２…後壁部の計量目盛、２０…拡大透視部。
【図１】
2010217038.tif 000003
【図２】
2010217038.tif 000004
【図３】
2010217038.tif 000005
【図４】
2010217038.tif 000006
【図５】
2010217038.tif 000007
【図６】
2010217038.tif 000008